(57)【特許請求の範囲】
【請求項１】
枠体内に開閉可能な障子を取り付けた建具において、
前記枠体と障子の一方に設けられた規制部材と、
前記枠体と障子の他方に設けられていて前記規制部材と連動して前記障子を所定角度開放させる開口部材と、
前記障子の屋外側に設けられた外部ハンドルと、
前記外部ハンドルの開放操作に連動して移動することで前記枠体と障子のロックを解除する連動部材と、
前記外部ハンドルの開放操作に連動して前記開口部材と規制部材の係合を解除させると共に前記連動部材を移動させるブラケットと、
を備え、
前記連動部材に設けた長穴に前記ブラケットに設けた作動軸が嵌入されており、前記外部ハンドルの操作時には前記作動軸が長穴を摺動して長穴の端部から前記連動部材を移動させて前記枠体と障子のロックを解除するようにしたことを特徴とする建具。
【請求項２】
枠体内に開閉可能な障子を取り付けた建具において、
前記枠体と障子の一方に設けられた規制部材と、
前記枠体と障子の他方に設けられていて前記規制部材と連動して前記障子を所定角度開放させる開口部材と、
前記障子の屋内側に設けられた内部ハンドルと、
前記障子の屋外側に設けられた外部ハンドルと、
前記内部ハンドルの開放操作に連動して移動することで前記枠体と障子のロックを解除する連動部材と、
前記外部ハンドルの開放操作に連動して前記開口部材と規制部材の係合を解除させると共に前記連動部材を移動させて前記枠体と障子のロックを解除するブラケットと、
を備え、
前記ブラケットは、前記規制部材を有していて前記外部ハンドルに連動する仲介ブラケットと、前記仲介ブラケットに連動して前記連動部材に設けた長穴に嵌入する作動軸を有する作動ブラケットとを有しており、
前記内部ハンドルの操作時に作動軸は前記長穴に嵌入された状態で前記連動部材の移動を許容し、前記外部ハンドルの操作時に前記作動軸に連動して前記連動部材を移動させるようにしたことを特徴とする建具。
【請求項３】
前記連動部材に設けた長穴に前記ブラケットに設けた作動軸が嵌入されており、前記外部ハンドルの操作時には前記作動軸が長穴を摺動して長穴の端部から前記連動部材を移動させて前記枠体と障子のロックを解除するようにした請求項２に記載された建具。
【請求項４】
枠体内に開閉可能な障子を取り付けた建具において、
前記枠体と障子の一方に設けられた規制部材と、
前記枠体と障子の他方に設けられていて前記規制部材と連動して前記障子を所定角度開放させる開口部材と、
前記障子の屋内側に設けられた内部ハンドルと、
前記障子の屋外側に設けられた外部ハンドルと、
前記内部ハンドルの開放操作に連動して移動することで前記枠体と障子のロックを解除する連動部材と、
前記外部ハンドルの開放操作に連動して前記開口部材と規制部材の係合を解除させると共に前記連動部材を移動させて前記枠体と障子のロックを解除するブラケットと、
を備え、
前記連動部材に設けた長穴に前記ブラケットに設けた作動軸が嵌入されており、前記外部ハンドルの操作時には前記作動軸が長穴を摺動して長穴の端部から前記連動部材を移動させて前記枠体と障子のロックを解除するようにしたことを特徴とする建具。
【請求項５】
前記開口部材は、前記規制部材を嵌入して相対的にガイドするカム溝を有すると共に、前記外部ハンドルの作動に連動して前記規制部材を前記カム溝から離脱させる離脱部を有している請求項１乃至４のいずれか一項に記載された建具。
【発明の詳細な説明】
【技術分野】
【０００１】
本発明は、建具に関し、詳しくは枠体に開閉可能な障子の開閉を規制する規制部材と、障子を所定角度開放させる開口部材と、屋外側から操作する外部ハンドルを備えた建具に関する。
【背景技術】
【０００２】
従来、ビル等では、開き窓や縦辷り出し窓は屋内側に取り付けた内部ハンドルを操作して障子を所定角度だけ開放可能にしたものがある。また、火災等の非常時の際に、消防士等が屋外から障子を開放できるように外部ハンドルを屋外側に備えたものがある。内側からロックのかかった障子でも外部ハンドルで開放できるようにした建具として、例えば特許文献１に記載されたものが提案されている。
【０００３】
特許文献１に記載された外部ハンドルを備えた建具では、枠体の方立に受け部材を備え、障子の縦框に備えた角度規制アームの下端部に受け部材の長溝に係合するピンを備えている。通常時には、障子の屋内側の操作ハンドルを開放操作することでグレモン錠のロックを外して角度規制アームの範囲で所定角度だけ障子を開放できる。
また、障子の屋外側には屋外ハンドルを備えており、非常時には屋外ハンドルの操作で第一連結部材を介してグレモン錠を解錠すると共に、連動する第二連結部材を介して角度規制アームと受け部材の係合を解除して障子を全開できるようにしている。
【先行技術文献】
【特許文献】
【０００４】
【特許文献１】特開２０１０−７１０４３号公報
【発明の概要】
【発明が解決しようとする課題】
【０００５】
しかしながら、特許文献１に記載された建具では、グレモン錠を解錠する第一連結部材や、角度規制アームと受け部材を離脱させるための第二連結部材等が必要であった。しかもこれら第一及び第二連結部材を連動させるために、案内部材やスライド部材、スライド部材を上方向に付勢するコイルばね等、多くの部品が必要であり、作動機構と動作が複雑であり組み立ても煩雑でコスト高になるという欠点があった。
【０００６】
本発明は、このような課題に鑑みてなされたものであって、簡単な構造で外部ハンドルによる障子の開放動作を容易に行えるようにした建具を提供することを目的とする。
【課題を解決するための手段】
【０００７】
本発明による建具は、枠体内に開閉可能な障子を取り付けた建具において、枠体と障子の一方に設けられた規制部材と、枠体と障子の他方に設けられていて規制部材と連動して障子を所定角度開放させる開口部材と、障子の屋外側に設けられた外部ハンドルと、外部ハンドルの開放操作に連動して移動することで枠体と障子のロックを解除する連動部材と、外部ハンドルの開放操作に連動して開口部材と規制部材の係合を解除させると共に連動部材を移動させるブラケットと、を備え、前記連動部材に設けた長穴に前記ブラケットに設けた作動軸が嵌入されており、前記外部ハンドルの操作時には前記作動軸が長穴を摺動して長穴の端部から前記連動部材を移動させて前記枠体と障子のロックを解除するようにしたことを特徴とする。
本発明によれば、非常時等に屋外側から障子を開放するには、外部ハンドルを開放操作することでブラケットを連動させて開口部材から規制部材を相対的に離脱させ、同時に連動部材を連動させることで枠体と障子のロックを解錠させることができる。そのため、外部ハンドルで障子を開放作動させることで全開開放させることができる。
また、内部ハンドルの操作時には作動軸が挿入されていても長穴を通した連動部材の移動を許容し、外部ハンドルの操作時には連動するブラケットの作動軸によって連動部材を移動させて枠体と障子のロックを解除できる。
【０００８】
本発明による建具は、枠体内に開閉可能な障子を取り付けた建具において、枠体と障子の一方に設けられた規制部材と、枠体と障子の他方に設けられていて規制部材と連動して障子を所定角度開放させる開口部材と、障子の屋内側に設けられた内部ハンドルと、障子の屋外側に設けられた外部ハンドルと、内部ハンドルの開放操作に連動して移動することで枠体と障子のロックを解除する連動部材と、外部ハンドルの開放操作に連動して開口部材と規制部材の係合を解除させると共に連動部材を移動させて枠体と障子のロックを解除するブラケットと、を備え、前記ブラケットは、前記規制部材を有していて前記外部ハンドルに連動する仲介ブラケットと、前記仲介ブラケットに連動して前記連動部材に設けた長穴に嵌入する作動軸を有する作動ブラケットとを有しており、前記内部ハンドルの操作時に作動軸は前記長穴に嵌入された状態で前記連動部材の移動を許容し、前記外部ハンドルの操作時に前記作動軸に連動して前記連動部材を移動させるようにしたことを特徴とする。
本発明によれば、障子を所定角度だけ開放するには、閉鎖状態から内部ハンドルを開放操作することで連動部材を移動させて枠体と障子のロックを解錠させ、障子を開放作動させることで枠体と障子との間で開口部材と規制部材を係合状態で開口部材に沿って規制部材を相対移動させて所定角度まで障子を開放させることができる。そして、非常時等に屋外側から障子を開放するには、外部ハンドルを開放操作することでブラケットを連動させて開口部材から規制部材を相対的に離脱させ、これと同時にブラケットを介して連動部材を連動させることで枠体と障子のロックを解錠させることができる。そして、外部ハンドルで障子を作動させることで全開開放させることができる。
また、外部ハンドルの操作に連動する仲介ブラケットを介して作動ブラケットを連動させ、作動ブラケットに設けた作動軸を長穴を通して作動することで長穴の端部から連動部材を移動させて枠体と障子のロックを解錠させることができる。
【０００９】
また、前記連動部材に設けた長穴に前記ブラケットに設けた作動軸が嵌入されており、前記外部ハンドルの操作時には前記作動軸が長穴を摺動して長穴の端部から前記連動部材を移動させて前記枠体と障子のロックを解除するようにしてもよい。
【００１０】
本発明による建具は、枠体内に開閉可能な障子を取り付けた建具において、前記枠体と障子の一方に設けられた規制部材と、前記枠体と障子の他方に設けられていて前記規制部材と連動して前記障子を所定角度開放させる開口部材と、前記障子の屋内側に設けられた内部ハンドルと、前記障子の屋外側に設けられた外部ハンドルと、前記内部ハンドルの開放操作に連動して移動することで前記枠体と障子のロックを解除する連動部材と、前記外部ハンドルの開放操作に連動して前記開口部材と規制部材の係合を解除させると共に前記連動部材を移動させて前記枠体と障子のロックを解除するブラケットと、を備え、前記連動部材に設けた長穴に前記ブラケットに設けた作動軸が嵌入されており、前記外部ハンドルの操作時には前記作動軸が長穴を摺動して長穴の端部から前記連動部材を移動させて前記枠体と障子のロックを解除するようにしたことを特徴とする。
【００１１】
また、前記開口部材は、前記規制部材を嵌入して相対的にガイドするカム溝を有すると共に、前記外部ハンドルの作動に連動して前記規制部材を前記カム溝から離脱させる離脱部を有していてもよい。
本発明によれば、外部ハンドルの操作に連動して規制部材を開口部材のカム溝に沿って相対移動させ、開口部材の離脱部においてカム溝から規制部材を相対的に離脱させることで、障子の開放角度を規制する開口部材と規制部材との係合を解除できる。
【発明の効果】
【００１２】
本発明による建具によれば、外部ハンドルの操作だけで施錠状態の障子の解錠と開口部材及び規制部材の解除による障子の全開開放とを行うことができる。
しかも、外部ハンドルの操作によって、ブラケットの移動による障子を解錠する連動部材の連動と開口部材及び規制部材の解除とを行うことができるため、構成と作動が簡単であり部品点数が少なくコストが低廉になる。
【図面の簡単な説明】
【００１３】
【図１】本発明の実施形態による縦辷り出し窓の正面図である。
【図２】図１に示す縦辷り出し窓の障子の閉鎖位置における縦枠と縦框との間に設けた開閉装置を示す拡大要部正面図である。
【図３】障子の閉鎖位置における縦枠と縦框とを示す説明図である。
【図４】小開口規制アームに規制ピンを係合させた図であり，（ａ）は閉鎖位置の正面図、（ｂ）は同図（ａ）の側面図、（ｃ）は全開位置の側面図である。
【図５】実施形態による開閉装置の内部ハンドルによる小開口位置を示す要部拡大正面図である。
【図６】障子の小開口位置における縦枠と縦框とを示す説明図である。
【図７】実施形態による開閉装置の外部ハンドルによる全開位置を示す要部拡大正面図である。
【図８】障子の全開位置における縦枠と縦框とを示す説明図である。
【発明を実施するための形態】
【００１４】
以下、本発明の実施形態による建具の一例として縦辷り出し窓の障子の開閉装置について図１乃至図８に基づいて説明する。
図１に示す実施形態による縦辷り出し窓１は、躯体の開口部２に上枠３及び下枠４と左右の縦枠５、６とが四角形枠状に形成された枠体７を取り付けている。枠体７内に開閉可能に納めた障子９は、上框１０及び下框１１と左右の縦框１２，１３とが略四角形枠状に形成された框体１４を有している。框体１４の内部には例えば複層ガラスからなるガラスパネル１５を納めている。障子９の吊元は枠体７の見付け方向の一端部である縦枠６近傍に設けられ、その軸線は上下方向に延びて上枠３と下枠４に支持されている。
そして、吊先側の縦框１２には障子９を開閉操作するための内部ハンドル１６が内部に設けられている。この縦框１２と縦枠５との間には図２以降に示す障子９の開閉装置１７が設置されている。
【００１５】
図２及び図３に示す開閉装置１７は障子の閉鎖位置を示している。開閉装置１７は障子９を換気や排煙等のために所定角度だけ開口できる小開口機構１８と障子９の外部に設けた外部ハンドル１９によって障子９を全開できる全開機構２０とを備えている。なお、図２は縦枠５と縦框１２の合わせ面５ａ、１２ａに設置した障子９の開閉装置１７を示すものであり、図３は互いに対向する縦枠５の正面と縦框１２の正面にそれぞれ設置した障子開閉装置１７の各構成を示す説明図である。
【００１６】
障子開閉装置１７において、縦枠５の上下方向に離間した位置に障子９をロックするための連動締り受け２３がそれぞれ設置され、その間に小開口規制アーム２５が設置されている。各連動締り受け２３は縦枠５にねじ固定した固定部２３ａに起立する当接部２３ｂを有している。小開口規制アーム２５は、縦枠５にねじ固定された基板２９に設けた支軸２９ａによって合わせ面５ａに沿って回動可能に設置されている。
図４に示すように、小開口規制アーム２５は例えば板状であり、その長手方向の下部から基板２９方向に向けてカム溝２５ａが形成されており、カム溝２５ａの長さ方向の途中または端部に屈曲部２５ｂが形成されている。屈曲部２５ｂはカム溝２５ａから後述する規制軸４４を離脱させる離脱部に含まれる。
【００１７】
一方、障子９の縦框１２の合わせ面１２ａには上下方向に延びて上下動可能な連動部材として例えば板状の連動棒３１が設置されている。連動棒３１は縦框１２の合わせ面１２ａに固定した連結材３２によって上下動可能に保持されている。連動棒３１における連動締り受け２３に対向する位置には連動締りとしてロックピン３３がそれぞれ固定されている。図２、図３に示す障子９の閉鎖位置では、ロックピン３３が連動締り受け２３の当接部２３ｂに係合して障子９は枠体７にロックされた状態にある。連動棒３１が上下方向、例えば上方に移動すると各ロックピン３３が当接部２３ｂから外れてロックが解錠された状態になる。
【００１８】
また、縦框１２の屋内側の側面には上述した内部ハンドル１６が回動可能に支持されている。図２に示すように、内部ハンドル１６は縦框１２内に設置されたピニオン１６ａが連動棒３１の側部に設けられたラック３１ａと噛合している。内部ハンドル１６は例えば約９０度回転させることでラック３１ａを介して連動棒３１を上方移動させることができる。
【００１９】
また、図３に示すように、縦框１２には合わせ面１２ａに沿って障子９の屋外側に外部ハンドル１９が設置されており、外部ハンドル１９は合わせ面１２ａに固定された基板３５に設けた支軸３６を中心に上下方向に回動可能とされている。外部ハンドル１９の先端部には凹溝状の切欠１９ａが形成されている。
また、切欠１９ａの近傍に固定した基板３７に揺動軸３８が設置されており、この揺動軸３８には仲介ブラケット４０が揺動可能に支持されている。揺動軸３８の一端側には外部ハンドル１９の切欠１９ａに嵌合する揺動ピン４０ａが固定され、他端側には軸部材４０ｂが固定されている。この軸部材４０ｂには例えば略くの字状の作動ブラケット４１が揺動可能に垂下されており、その下端部には連動棒３１に形成された長穴３１ｂに摺動可能に嵌入された作動ピン４２が作動軸として固定されている。
【００２０】
しかも、仲介ブラケット４０には小開口規制アーム２５のカム溝２５ａに嵌合する規制軸４４が規制部材として固定されている。規制軸４４は軸部材４０ｂの近傍に設置されている。これらの機構は全開機構２０を構成する。また、小開口規制アーム２５と規制軸４４は小開口機構１８を構成する。
【００２１】
そして、図５及び図６に示すように、内部ハンドル１６を回動すると連動棒３１は上昇作動するが、連動棒３１の長穴３１ｂは作動ピン４２と干渉することがなく昇降し、作動ピン４２は静止状態に保持される。また、障子９が小開口規制アーム２５のカム溝２５ａと規制軸４４とで係合状態を維持して開放作動する場合には、規制軸４４は静止状態に保持され、規制軸４４と小開口規制アーム２５のカム溝２５ａとが係合状態で所定角度の小開口位置まで開口する。
【００２２】
また、図７及び図８に示すように、外部ハンドル１９を支軸３６回りに上方に回動操作すると、下方回動する切欠１９ａに嵌合する揺動ピン４０ａを介して仲介ブラケット４０が揺動軸３８回りに揺動する。すると仲介ブラケット４０の他端側に設けた軸部材４０ｂが上方に揺動するため、その上昇ストロークによって作動ピン４２が長穴３１ｂに沿って上端まで上昇し、更に長穴３１ｂの上端を押して連動棒３１を上昇させてロックピン３３を連動締り受け２３から外すと共に内部ハンドル１６を回動させる。
しかも、仲介ブラケット４０の揺動によって規制軸４４も上方に揺動するため、規制軸４４は小開口規制アーム２５のカム溝２５ａを上昇して屈曲部２５ｂの上方に移動するため、カム溝２５ａから外れることになる。
【００２３】
本実施形態による縦辷り出し窓１は上述した構成を備えており、次にその使用方法を図２、図３、図５乃至図８に沿って説明する。
縦辷り出し窓１の通常の使用状態において、図２及び図３は障子９の閉鎖状態を示していて、外部ハンドル１９は操作されないために仲介ブラケット４０と作動ブラケット４１も静止状態に保持されている。この状態で障子９に設けたロックピン３３は縦枠５に設けた連動締り受け２３の当接部２３ｂに当接して閉鎖位置に施錠されている。
【００２４】
次に、障子９を小開口作動する場合、図５及び図６に示すように、屋内側から内部ハンドル１６を垂下位置から水平位置まで略９０度回転させる。すると、図５及び図６に示すように、内部ハンドル１６のピニオン１６ａが回転してラック３１ａが上昇し、連動棒３１が連結材３２に沿って所定ストローク上昇移動する。連動棒３１の上昇によってロックピン３３が縦枠５の連動締り受け２３の当接部２３ｂから上方に外れるため、障子９は解錠される。しかも連動棒３１に形成した長穴３１ｂは連動棒３１の移動範囲において作動ピン４２と干渉することがない。
そして、内部ハンドル１６を把持しながら障子９を開放作動させると、静止状態の仲介ブラケット４０に保持された規制軸４４が小開口規制アーム２５のカム溝２５ａに係合した状態で摺動しながら小開口規制アーム２５を押して支軸２９ａ回りに回動させ、障子９を開放させる。障子９は規制軸４４がカム溝２５ａの下端部に移動した位置で停止し、小開口位置に開放して保持される。この状態で換気や排煙等を行える。
【００２５】
また、火事などの非常時に消防夫等が屋外から障子９を開放する場合について説明する。障子９が閉鎖施錠位置にある場合、図７及び図８に示すように、外部ハンドル１９を支軸３６回りに回動させて上方移動させる。すると、下方に回動する切欠１９ａに嵌合する揺動ピン４０ａを介して仲介ブラケット４０が揺動軸３８回りに揺動する。
【００２６】
そして、仲介ブラケット４０の他端側に設けた軸部材４０ｂが上方に揺動するため、その上昇ストロークによって作動ブラケット４１が上昇する。すると、作動ブラケット４１の作動ピン４２が長穴３１ｂ内での上昇ストロークの途中で長穴３１ｂの上端に当接して降下位置にある連動棒３１を上昇させるため、ロックピン３３を連動締り受け２３から外す。これと同時に連動棒３１の上昇移動によってラック３１ａを介して噛合するピニオン１６ａを連動させて内部ハンドル１６を回動させる。
【００２７】
しかも、仲介ブラケット４０の揺動によって規制軸４４も上方に回動するため、規制軸４４は小開口規制アーム２５のカム溝２５ａ内を上昇して屈曲部２５ｂの上方に移動するため、カム溝２５ａから外れる。これにより、ロックピン３３の解錠と規制軸４４の小開口規制アーム２５のカム溝２５ａからの離脱が生じ、障子９を開放させることで例えば略９０度の全開位置に作動できる。
そして、障子９を全開作動から閉鎖位置に戻し、外部ハンドル１９を下降位置に戻すと、規制軸４４は屈曲部２５ｂからカム溝２５ａ内に戻り、連動棒３１も降下するためロックピン３３も連動締り受け２３に係合する施錠位置に戻る。
なお、障子９が小開口位置にあるときに屋外側から障子９を全開位置に開放する場合には、障子９を外側から押して閉鎖させた後で上述のように外部ハンドル１９を操作させるとよい。
【００２８】
上述のように本実施形態による縦辷り出し窓１によれば、屋外側から障子９を開放する場合、外部ハンドル１９の操作だけで施錠状態の障子９の解錠と小開口規制アーム２５から規制軸４４の解除とを同時に行うことができて、障子９の全開開放を行える。
しかも、外部ハンドル１９の開放操作によって、小開口規制アーム２５から規制軸４４を解除するための仲介ブラケット４０の移動と障子９を解錠する連動棒３１の上昇のための作動ブラケット４１の移動とを連動して行うことができるため、構成と組み立てと作動が簡単であり部品点数が少なく製造コストが低廉になる。また、内部ハンドル１６の操作で上昇する連動棒３１を外部ハンドル１９によっても上昇できるため、この点でも構成が簡単である。
【００２９】
なお、本発明による縦辷り出し窓１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３０】
上述した実施形態では、外部ハンドル１９に連動する仲介ブラケット４０と作動ブラケット４１を別部品で形成したが、これに代えて仲介ブラケット４０と作動ブラケット４１を一体のブラケットとして構成してもよい。この場合には一層部品構成が簡単になる。
【００３１】
また、上述した実施形態では縦枠５に小開口規制アーム２５を取り付け、障子９の縦框１２の仲介ブラケット４０にカム溝２５ａに嵌入する規制軸４４を設置したが、これに代えて縦枠５に規制軸４４を取り付け、仲介ブラケット４０に小開口規制アーム２５を設置してもよい。
【００３２】
この場合、内部ハンドル１６の操作による連動棒３１の上昇移動の際に小開口規制アーム２５と規制軸４４は移動しない。そして、外部ハンドル１９を作動した際に仲介ブラケット４０の回動によって小開口規制アーム２５が上昇するため、小開口規制アーム２５の下端部に規制軸４４がカム溝２５ａを外れる屈曲部２５ｂを設けておけば、小開口規制アーム２５から規制軸４４を分離して解除できる。なお、この場合、縦框１２等に小開口規制アーム２５の傾斜角度を規制するストッパピン等を設置しておくとよい。
しかも、作動ブラケット４１の回動による作動ピン４２の上昇ストロークは内部ハンドル１６による連動棒３１の上昇ストロークより長いので、外部ハンドル１９の操作による小開口規制アーム２５の上昇時に、小開口規制アーム２５の下端側の屈曲部２５ｂから規制軸４４を確実にカム溝２５ａから外すことができる。また、障子９の小開口開放時には規制軸４４がカム溝２５ａから離脱することをストッパピンで阻止できる。
【００３３】
なお、小開口規制アーム２５は開口部材に含まれ、規制軸４４は規制部材に含まれている。
本発明による建具として縦辷り出し窓１を例にとって説明したが、本発明はこれに限定されるものではなく、小開口規制アーム２５等の開閉装置１７を上框または下框等の横框と上枠または下枠等の横枠との間に取り付けた横辷り出し窓やその他の開き窓等、各種の建具にも適用できる。横辷り出し窓に本発明を適用した場合、連動棒３１は横移動し、小開口規制アーム２５に設けたカム溝２５ａと規制軸４４とは横方向に互いに係合して摺動することで障子９を所定角度開放させることができる。
【符号の説明】
【００３４】
１  縦辷り出し窓
５  縦枠
７  枠体
９  障子
１２  縦框
１６  内部ハンドル
１７  開閉装置
１９  外部ハンドル
２３  連動締り受け
２５  小開口規制アーム
２５ａ  カム溝
３１  連動棒
３１ｂ  長穴  
３３  ロックピン
４０  仲介ブラケット
４１  作動ブラケット
４２  作動ピン
４４  規制軸
【図１】
0006659426.tif 000002
【図２】
0006659426.tif 000003
【図３】
0006659426.tif 000004
【図４】
0006659426.tif 000005
【図５】
0006659426.tif 000006
【図６】
0006659426.tif 000007
【図７】
0006659426.tif 000008
【図８】
0006659426.tif 000009